(57)【要約】【課題】特別なスイッチ操作を行わなくても複数の記録方式のいずれかに切り替えて情報を記録できるようにする。【解決手段】制御部１は、複数の入力部（カメラ部８Ａ、８Ｂ、あるいは録音マイク９Ａ、９Ｂ）が縦並びとなる状態であるか横並びとなる状態であるかを検出する向き検出部１０の検出結果に基づいて、複数の記録方式（２Ｄ画像記録方式／３Ｄ画像記録方式、低精細画像記録方式／高精細画像記録方式、モノラル音声記録方式ステレオ音声記録方式）のいずれかに切り替える。【選択図】  図１
2011055043.tif 000002
【特許請求の範囲】
【請求項１】
複数の記録方式のいずれかによって情報の記録を行う情報記録装置であって、
記録対象の情報を入力する複数の入力部を備えた入力手段と、
前記複数の入力部が縦並びとなる状態であるか横並びとなる状態であるかを検出する検出手段と、
前記複数の入力部の各々から入力された記録対象の情報又は前記複数の入力部のいずれかから入力された記録対象の情報を記録させる場合に、前記検出手段による検出結果に基づいて、前記複数の記録方式のいずれかの記録方式に切り替える制御を行う制御手段と、
を具備したことを特徴とする情報記録装置。
【請求項２】
前記入力手段は、複数のカメラ部を前記複数の入力部として備え、
前記複数の記録方式は、前記カメラ部によって撮影された２Ｄ画像を記録する２Ｄ画像記録方式と、前記カメラ部によって撮影された３Ｄ画像を記録する３Ｄ画像記録方式であり、
前記検出手段は、前記複数のカメラ部が横並びとなる状態と縦並びとなる状態を検出し、
前記制御手段は、前記複数のカメラ部が縦並びとなる状態が検出された場合に前記２Ｄ画像記録方式に切り替え、横並びとなる状態が検出された場合に前記３Ｄ画像記録方式に切り替える、
ようにしたことを特徴とする請求項１記載の情報記録装置。
【請求項３】
前記入力手段は、前記制御手段によって２Ｄ画像記録方式に切り替えられた場合に、前記複数のカメラ部のうちそのいずれか一方を有効にする、
ようにしたことを特徴とする請求項２記載の情報記録装置。
【請求項４】
前記入力手段は、複数のカメラ部を前記複数の入力部として備え、
前記複数の記録方式は、前記カメラ部によって撮影された低精細画像を記録する低精細画記録方式と、前記カメラ部によって撮影された高精細画像を記録する高精細画像記録方式であり、
前記検出手段は、前記複数のカメラ部が横並びとなる状態と縦並びとなる状態を検出し、
前記制御手段は、前記複数のカメラ部が縦並びとなる状態が検出された場合に前記低精細画記録方式に切り替え、横並びとなる状態が検出された場合に前記高精細画像記録方式に切り替える、
ようにしたことを特徴とする請求項１記載の情報記録装置。
【請求項５】
前記入力手段は、複数の録音マイクを前記複数の入力部として備え、
前記複数の記録方式は、前記録音マイクから入力された音声をモノラル音声として記録するモノラル音声記録方式と、前記録音マイクから入力された音声をステレオ音声として記録するステレオ音声記録方式であり、
前記検出手段は、前記録音マイクが横並びとなる状態と縦並びとなる状態を検出し、
前記制御手段は、前記複数の録音マイクが縦並びとなる状態が検出された場合に前記モノラル音声記録方式に切り替え、横並びとなる状態が検出された場合に前記ステレオ音声記録方式に切り替える、
ようにしたことを特徴とする請求項１記載の情報記録装置。
【請求項６】
前記入力手段は、前記制御手段によって前記モノラル音声記録方式に切り替えられた場合に、前記複数の録音マイクのうちそのいずれか一方を有効にする、
ようにしたことを特徴とする請求項５記載の情報記録装置。
【請求項７】
前記制御手段によって記録方式の切り替えが行われた場合に、その切り替えをユーザに確認させるための確認表示を行う確認表示手段を更に備える、
ようにしたことを特徴とする請求項１記載の情報記録装置。
【請求項８】
複数の記録方式のいずれかによって情報の記録が可能であるほか、筐体の形態に応じて複数のスタイルに変更可能な情報記録装置であって、
記録対象の情報を入力する複数の入力部を備えた入力手段と、
前記複数のスタイルのうち現在どのスタイルであるかを検出する検出手段と、
前記複数の入力部の各々から入力された記録対象の情報又は前記複数の入力部のいずれかから入力された記録対象の情報を記録させる場合に、前記検出手段による検出結果に基づいて、前記複数の記録方式のいずれかの記録方式に切り替える制御を行う制御手段と、
を具備したことを特徴とする情報記録装置。
【請求項９】
前記入力手段は、複数のカメラ部を前記複数の入力部として備え、
前記複数の記録方式は、前記カメラ部によって撮影された２Ｄ画像を記録する２Ｄ画像記録方式と、前記カメラ部によって撮影された３Ｄ画像を記録する３Ｄ画像記録方式であり、
前記制御手段は、前記検出手段によって検出されたスタイルに応じて、前記２Ｄ画像記録方式又は前記３Ｄ画像記録方式に切り替える、
ようにしたことを特徴とする請求項８記載の情報記録装置。
【請求項１０】
前記入力手段は、前記制御手段によって２Ｄ画像記録方式に切り替えられた場合に、前記複数のカメラ部のうちそのいずれか一方を有効にする、
ようにしたことを特徴とする請求項８記載の情報記録装置。
【請求項１１】
前記入力手段は、複数のカメラ部を前記複数の入力部として備え、
前記複数の記録方式は、前記カメラ部によって撮影された低精細画像を記録する低精細画記録方式と、前記カメラ部によって撮影された高精細画像を記録する高精細画像記録方式であり、
前記制御手段は、前記検出手段によって検出されたスタイルに応じて、前記低精細画記録方式又は前記高精細画像記録方式に切り替える、
ようにしたことを特徴とする請求項８記載の情報記録装置。
【請求項１２】
前記入力手段は、複数の録音マイクを前記複数の入力部として備え、
前記複数の記録方式は、前記録音マイクから入力された音声をモノラル音声として記録するモノラル音声記録方式と、前記録音マイクから入力された音声をステレオ音声として記録するステレオ音声記録方式であり、
前記制御手段は、前記検出手段によって検出されたスタイルに応じて、前記モノラル音声記録方式又は前記ステレオ音声記録方式に切り替える、
ようにしたことを特徴とする請求項８記載の情報記録装置。
【請求項１３】
前記入力手段は、前記制御手段によって前記モノラル音声記録方式に切り替えられた場合に、前記複数の録音マイクのうちそのいずれか一方を有効にする、
ようにしたことを特徴とする請求項１２記載の情報記録装置。
【請求項１４】
当該情報記録装置は、表示部を備える表示部筐体と操作部を備える操作部筐体とを有し、
前記操作部筐体と前記表示部筐体とを開閉可能に取り付けると共に、前記操作部筐体に対して前記表示部筐体をその表裏が反転可能に取り付けてなり、
前記複数のスタイルのうちその一つは、前記操作部筐体と前記表示部筐体とを開いた状態で前記表示部及び前記操作部が露出した状態となるスタイルであり、少なくとも他の一つのスタイルは、前記操作部筐体と前記表示部筐体とを閉じた状態で前記表示部が露出し、かつ前記操作部が隠れた状態となるスタイルである、
ことを特徴とする請求項８記載の情報記録装置。
【請求項１５】
前記表示部筐体を閉じた状態で前記表示部が露出し、かつ前記操作部が隠れた状態となるスタイルにおいて、縦横比の異なる前記表示部の向きが横長表示となる状態の場合に、前記複数の入力部は横並び状態となるように配設されている、
ことを特徴とする請求項１４記載の情報記録装置。
【請求項１６】
当該情報記録装置は、表示部を備える表示部筐体と操作部を備える操作部筐体とを有し、前記操作部筐体と前記表示部筐体とをスライド可能に取り付けてなり、
前記複数の入力部のうちその一方の入力部を前記表示部筐体の背面に配設し、他方の入力部は、前記操作部筐体の背面に配設し、
前記複数のスタイルのうちその一つは、前記操作部筐体と前記表示部筐体とを閉じた状態で前記操作部の背面に配設した前記入力部が露出した状態となるスタイルであり、少なくとも他の一つのスタイルは、前記操作部筐体と前記表示部筐体とを開いた状態で当該操作部筐体及び表示部筐体の背面に配設した前記入力部がそれぞれ露出した状態となるスタイルである、
ことを特徴とする請求項８記載の情報記録装置。
【請求項１７】
前記操作部筐体と前記表示部筐体とを開いた状態で当該操作部筐体及び表示部筐体の背面に配設した前記入力部がそれぞれ露出した状態となるスタイルにおいて、
縦横比の異なる前記表示部の向きが横長表示となる状態の場合に、前記複数の入力部は横並び状態となるように配設されている、
ようにしたことを特徴とする請求項１６記載の情報記録装置。
【請求項１８】
前記制御手段よって記録方式の切り替えが行われた場合に、その切り替えをユーザに確認させるための確認表示を行う確認表示手段を更に備える、
ようにしたことを特徴とする請求項８記載の情報記録装置。
【請求項１９】
コンピュータに対して、
複数の記録方式のいずれかによって情報の記録を行う機能と、
記録対象の情報を入力する複数の入力部が縦並びとなる状態であるか横並びとなる状態であるかを検出する機能と、
前記複数の入力部の個々から入力された記録対象の情報又は前記複数の入力部のいずれかから入力された記録対象の情報を記録させる場合に、前記検出結果に基づいて、前記複数の記録方式のいずれかの記録方式に切り替える制御を行う機能と、
を実現させるためのプログラム。
【請求項２０】
コンピュータに対して、
複数の記録方式のいずれかによって情報の記録を行う機能と、
筐体の形態に応じて変更可能な複数のスタイルのうち現在どのスタイルであるかを検出する機能と、
前記複数の入力部の各々から入力された記録対象の情報又は前記複数の入力部のいずれかから入力された記録対象の情報を記録させる場合に、前記検出結果に基づいて、前記複数の記録方式のいずれかの記録方式に切り替える制御を行う機能と、
を実現させるためのプログラム。
【発明の詳細な説明】
【技術分野】
【０００１】
本発明は、複数の記録方式のいずれかによって情報の記録を行う情報記録装置及びプログラムに関する。
【背景技術】
【０００２】
従来、平面状の表示部に画像（静止画、動画）などの表示情報を３Ｄ（三次元）表示する技術としては、例えば、互いに少しずらした右目用の表示情報と左目用の表示情報を同時に表示させる際に、右眼用の表示情報は右眼で見えて左眼では見えないようにし、左眼用の表示情報は左眼で見えて右眼では見えないようにするために光の経路を遮断する視差バリアを適切な位置に配置することによって、静止画、動画などの表示情報を立体に見せるようにした技術がある。
また、３Ｄ撮影が可能なカメラ装置としては、所定間隔を空けて２台のカメラを配置し、同一の被写体を同時に撮影することによって右眼用の画像と左眼用の画像を個々に再生することによって立体映像を得るようにした技術がある。この場合、３Ｄ静止画と２Ｄ静止画の撮影が可能とした技術が知られている（特許文献１参照）。
【先行技術文献】
【特許文献】
【０００３】
【特許文献１】特開平８−３１７４２５号公報
【発明の概要】
【発明が解決しようとする課題】
【０００４】
このように上述した先行技術にあっては、視差を利用して立体映像を得るようにしているため、３Ｄ画像の撮影が可能な撮影手段を備えたカメラ装置で３Ｄ画像の撮影を行う場合には、上述した２台のカメラが左右の眼のように所定間隔を空けて横並びの状態（例えば、略水平に並んでいる状態）となるように筐体の向きを変更してから切換スイッチを操作して３Ｄ方式による撮影に切り替える必要があった。
【０００５】
本発明の課題は、特別なスイッチ操作を行わなくても複数の記録方式のいずれかに切り替えて情報を記録できるようにすることである。
【課題を解決するための手段】
【０００６】
上述した課題を解決するために請求項１記載の発明は、複数の記録方式のいずれかによって情報の記録を行う情報記録装置であって、記録対象の情報を入力する複数の入力部を備えた入力手段と、前記複数の入力部が縦並びとなる状態であるか横並びとなる状態であるかを検出する検出手段と、前記複数の入力部の各々から入力された記録対象の情報又は前記複数の入力部のいずれかから入力された記録対象の情報を記録させる場合に、前記検出手段による検出結果に基づいて、前記複数の記録方式のいずれかの記録方式に切り替える制御を行う制御手段と、を具備したことを特徴とする。
【０００７】
請求項１に従属する発明として、前記入力手段は、複数のカメラ部を前記複数の入力部として備え、前記複数の記録方式は、前記カメラ部によって撮影された２Ｄ画像を記録する２Ｄ画像記録方式と、前記カメラ部によって撮影された３Ｄ画像を記録する３Ｄ画像記録方式であり、前記検出手段は、前記複数のカメラ部が横並びとなる状態と縦並びとなる状態を検出し、前記制御手段は、前記複数のカメラ部が縦並びとなる状態が検出された場合に前記２Ｄ画像記録方式に切り替え、横並びとなる状態が検出された場合に前記３Ｄ画像記録方式に切り替える、ようにしたことを特徴とする請求項２記載の発明であってもよい。
【０００８】
請求項２に従属する発明として、前記入力手段は、前記制御手段によって２Ｄ画像記録方式に切り替えられた場合に、前記複数のカメラ部のうちそのいずれか一方を有効にする、ようにしたことを特徴とする請求項３記載の発明であってもよい。
【０００９】
請求項１に従属する発明として、前記入力手段は、複数のカメラ部を前記複数の入力部として備え、前記複数の記録方式は、前記カメラ部によって撮影された低精細画像を記録する低精細画記録方式と、前記カメラ部によって撮影された高精細画像を記録する高精細画像記録方式であり、前記検出手段は、前記複数のカメラ部が横並びとなる状態と縦並びとなる状態を検出し、前記制御手段は、前記複数のカメラ部が縦並びとなる状態が検出された場合に前記低精細画記録方式に切り替え、横並びとなる状態が検出された場合に前記高精細画像記録方式に切り替える、ようにしたことを特徴とする請求項４記載の発明であってもよい。
【００１０】
請求項１に従属する発明として、前記入力手段は、複数の録音マイクを前記複数の入力部として備え、前記複数の記録方式は、前記録音マイクから入力された音声をモノラル音声として記録するモノラル音声記録方式と、前記録音マイクから入力された音声をステレオ音声として記録するステレオ音声記録方式であり、前記検出手段は、前記録音マイクが横並びとなる状態と縦並びとなる状態を検出し、前記制御手段は、前記複数の録音マイクが縦並びとなる状態が検出された場合に前記モノラル音声記録方式に切り替え、横並びとなる状態が検出された場合に前記ステレオ音声記録方式に切り替える、ようにしたことを特徴とする請求項５記載の発明であってもよい。
【００１１】
請求項５に従属する発明として、前記入力手段は、前記制御手段によって前記モノラル音声記録方式に切り替えられた場合に、前記複数の録音マイクのうちそのいずれか一方を有効にする、ようにしたことを特徴とする請求項６記載の発明であってもよい。
【００１２】
請求項１に従属する発明として、前記制御手段によって記録方式の切り替えが行われた場合に、その切り替えをユーザに確認させるための確認表示を行う確認表示手段を更に備える、ようにしたことを特徴とする請求項７記載の発明であってもよい。
【００１３】
また、上述した課題を解決するために請求項８記載の発明は、複数の記録方式のいずれかによって情報の記録が可能であるほか、筐体の形態に応じて複数のスタイルに変更可能な情報記録装置であって、記録対象の情報を入力する複数の入力部を備えた入力手段と、前記複数のスタイルのうち現在どのスタイルであるかを検出する検出手段と、前記複数の入力部の各々から入力された記録対象の情報又は前記複数の入力部のいずれかから入力された記録対象の情報を記録させる場合に、前記検出手段による検出結果に基づいて、前記複数の記録方式のいずれかの記録方式に切り替える制御を行う制御手段と、を具備したことを特徴とする。
【００１４】
請求項８に従属する発明として、前記入力手段は、複数のカメラ部を前記複数の入力部として備え、前記複数の記録方式は、前記カメラ部によって撮影された２Ｄ画像を記録する２Ｄ画像記録方式と、前記カメラ部によって撮影された３Ｄ画像を記録する３Ｄ画像記録方式であり、前記制御手段は、前記検出手段によって検出されたスタイルに応じて、前記２Ｄ画像記録方式又は前記３Ｄ画像記録方式に切り替える、ようにしたことを特徴とする請求項９記載の発明であってもよい。
【００１５】
請求項９に従属する発明として、前記入力手段は、前記制御手段によって２Ｄ画像記録方式に切り替えられた場合に、前記複数のカメラ部のうちそのいずれか一方を有効にする、ようにしたことを特徴とする請求項１０記載の発明であってもよい。
【００１６】
請求項８に従属する発明として、前記入力手段は、複数のカメラ部を前記複数の入力部として備え、前記複数の記録方式は、前記カメラ部によって撮影された低精細画像を記録する低精細画記録方式と、前記カメラ部によって撮影された高精細画像を記録する高精細画像記録方式であり、前記制御手段は、前記検出手段によって検出されたスタイルに応じて、前記低精細画記録方式又は前記高精細画像記録方式に切り替える、ようにしたことを特徴とする請求項１１記載の発明であってもよい。
【００１７】
請求項８に従属する発明として、前記入力手段は、複数の録音マイクを前記複数の入力部として備え、前記複数の記録方式は、前記録音マイクから入力された音声をモノラル音声として記録するモノラル音声記録方式と、前記録音マイクから入力された音声をステレオ音声として記録するステレオ音声記録方式であり、前記制御手段は、前記検出手段によって検出されたスタイルに応じて、前記モノラル音声記録方式又は前記ステレオ音声記録方式に切り替える、ようにしたことを特徴とする請求項１２記載の発明であってもよい。
【００１８】
請求項１２に従属する発明として、前記入力手段は、前記制御手段によって前記モノラル音声記録方式に切り替えられた場合に、前記複数の録音マイクのうちそのいずれか一方を有効にする、ようにしたことを特徴とする請求項１３記載の発明であってもよい。
【００１９】
請求項８に従属する発明として、当該情報記録装置は、表示部を備える表示部筐体と操作部を備える操作部筐体とを有し、前記操作部筐体と前記表示部筐体とを開閉可能に取り付けると共に、前記操作部筐体に対して前記表示部筐体をその表裏が反転可能に取り付けてなり、  前記複数のスタイルのうちその一つは、前記操作部筐体と前記表示部筐体とを開いた状態で前記表示部及び前記操作部が露出した状態となるスタイルであり、少なくとも他の一つのスタイルは、前記操作部筐体と前記表示部筐体とを閉じた状態で前記表示部が露出し、かつ前記操作部が隠れた状態となるスタイルである、ことを特徴とする請求項１４記載の発明であってもよい。
【００２０】
請求項１４に従属する発明として、前記表示部筐体を閉じた状態で前記表示部が露出し、かつ前記操作部が隠れた状態となるスタイルにおいて、縦横比の異なる前記表示部の向きが横長表示となる状態の場合に、前記複数の入力部は横並び状態となるように配設されている、ことを特徴とする請求項１５記載の発明であってもよい。
【００２１】
請求項８に従属する発明として、当該情報記録装置は、表示部を備える表示部筐体と操作部を備える操作部筐体とを有し、前記操作部筐体と前記表示部筐体とをスライド可能に取り付けてなり、前記複数の入力部のうちその一方の入力部を前記表示部筐体の背面に配設し、他方の入力部は、前記操作部筐体の背面に配設し、前記複数のスタイルのうちその一つは、前記操作部筐体と前記表示部筐体とを閉じた状態で前記操作部の背面に配設した前記入力部が露出した状態となるスタイルであり、少なくとも他の一つのスタイルは、前記操作部筐体と前記表示部筐体とを開いた状態で当該操作部筐体及び表示部筐体の背面に配設した前記入力部がそれぞれ露出した状態となるスタイルである、ことを特徴とする請求項１６記載の発明であってもよい。
【００２２】
請求項１６に従属する発明として、前記操作部筐体と前記表示部筐体とを開いた状態で当該操作部筐体及び表示部筐体の背面に配設した前記入力部がそれぞれ露出した状態となるスタイルにおいて、縦横比の異なる前記表示部の向きが横長表示となる状態の場合に、前記複数の入力部は横並び状態となるように配設されている、ようにしたことを特徴とする請求項１７記載の発明であってもよい。
【００２３】
請求項８に従属する発明として、前記制御手段よって記録方式の切り替えが行われた場合に、その切り替えをユーザに確認させるための確認表示を行う確認表示手段を更に備える、ようにしたことを特徴とする請求項１８記載の発明であってもよい。
【００２４】
また、上述した課題を解決するために請求項１９記載の発明は、コンピュータに対して、複数の記録方式のいずれかによって情報の記録を行う機能と、記録対象の情報を入力する複数の入力部が縦並びとなる状態であるか横並びとなる状態であるかを検出する機能と、前記複数の入力部の個々から入力された記録対象の情報又は前記複数の入力部のいずれかから入力された記録対象の情報を記録させる場合に、前記検出結果に基づいて、前記複数の記録方式のいずれかの記録方式に切り替える制御を行う機能と、を実現させるためのプログラムを特徴とする。
【００２５】
また、上述した課題を解決するために請求項２０記載の発明は、コンピュータに対して、複数の記録方式のいずれかによって情報の記録を行う機能と、筐体の形態に応じて変更可能な複数のスタイルのうち現在どのスタイルであるかを検出する機能と、前記複数の入力部の各々から入力された記録対象の情報又は前記複数の入力部のいずれかから入力された記録対象の情報を記録させる場合に、前記検出結果に基づいて、前記複数の記録方式のいずれかの記録方式に切り替える制御を行う機能と、を実現させるためのプログラムを特徴とする。
【発明の効果】
【００２６】
本発明によれば、特別なスイッチ操作を行わなくても複数の記録方式のいずれかに切り替えて情報を記録することができ、操作性及び利便性の向上が可能となる。
【図面の簡単な説明】
【００２７】
【図１】情報記録装置として適用した携帯電話機の基本的な構成要素を示したブロック図。
【図２】携帯電話機の外観図で、（１）は、縦横比の異なる表示部７が縦長表示となる状態（縦向き）の正面図及び背面図を示し、（２）は、表示部７が横長表示となる状態（横向き）の正面図及び背面図を示した図。
【図３】撮影フラグＦを説明するための図。
【図４】電源投入に応じて実行開始される携帯電話機の動作（本実施形態の特徴的な動作）を説明するためのフローチャート。
【図５】図４に続く動作を示したフローチャート。
【図６】第１実施形態の変形応用例を説明するための携帯電話機の外観図で、（１）は、縦横比の異なる表示部７が縦長表示となる状態（縦向き）の正面図及び背面図を示し、（２）は、表示部７が横長表示となる状態（横向き）の正面図及び背面図を示した図。
【図７】第２実施形態における携帯電話機の外観図で、（１）は、縦横比の異なる表示部７が縦長表示となる状態（縦向き）の正面図及び背面図を示し、（２）は、表示部７が横長表示となる状態（横向き）の正面図及び背面図を示した図。
【図８】第２実施形態において、電源投入に応じて実行開始される携帯電話機の動作（本実施形態の特徴的な動作）を説明するためのフローチャート。
【図９】図８に続く動作を示したフローチャート。
【図１０】第２実施形態の変形応用例を説明するための図で、（１）は、縦横比の異なる表示部７が縦長表示となる状態（縦向き）の正面図及び背面図を示し、（２）は、表示部７が横長表示となる状態（横向き）の正面図及び背面図を示した図。
【発明を実施するための形態】
【００２８】
（実施形態１）
以下、図１〜図５を参照して本発明の第１実施形態を説明する。
本実施形態は、情報記録装置として携帯電話機に適用した場合を例示したもので、図１は、この携帯電話機の基本的な構成要素を示したブロック図である。
携帯電話機は、２つの筐体（後述する表示部筐体と操作部筐体）を折り畳み自在（開閉自在）に取り付けた折り畳みタイプで、音声通話機能、電子メール機能、インターネット接続機能（Ｗｅｂアクセス機能）などのほか、画像記録機能を構成するカメラ機能と、音声記録機能を構成する録音機能が備えられている。携帯電話機は、無線通信網（図示省略）に接続されると、他の携帯電話機（図示省略）との間で通話可能な状態となったり、電子メールの送受信が可能となったりする。また、携帯電話機は、無線通信網、インターネット（図示省略）を介してＷｅｂサイトをアクセスして閲覧可能となったりする。
【００２９】
カメラ機能は、撮影された画像を記録する画像記録機能の構成要素であり、２Ｄ（二次元）画像の撮影及び３Ｄ（三次元）画像の撮影が可能なもので、２Ｄ画像の撮影か３Ｄ画像の撮影かをユーザ操作によって任意に切り替え可能のほか、後述するが、筐体の向き（表示部の向き）に応じて切り替え可能となっている。録音機能は、外部から入力された音声を記録する音声記録機能の構成要素であり、入力音声をモノラル音声記録方式によって録音したり、ステレオ音声記録方式によって録音したりすることが可能なもので、モノラル音声記録方式による録音かステレオ音声録方式による録音かをユーザ操作によって任意に切り替え可能のほか、後述するが、筐体の向き（表示部の向き）に応じて切り替え可能となっている
【００３０】
制御部１は、二次電池を備えた電源部２からの電力供給によって動作し、記憶部３内の各種のプログラムに応じてこの携帯電話機の全体動作を制御するもので、この制御部１にはＣＰＵ（中央演算処理装置）やメモリなどが設けられている。記憶部３は、ＲＯＭ、ＲＡＭなどの内部メモリで、プログラム領域とデータ領域とを有し、このプログラム領域には、後述する図４及び図５に示す動作手順に応じて本実施形態を実現するためのプログラムが格納されている。また、記憶部３のデータ領域には、フラグ情報（後述する撮影フラグＦ）、タイマ情報、この携帯電話機の動作に必要な各種の情報が一時記憶されている。
【００３１】
通信部４は、音声通話機能の構成要素であり、無線部、ベースバンド部、多重分離部などを備え、例えば、通話機能、電子メール機能、インターネット接続機能の動作時に最寄りの基地局との間でデータの送受信を行うもので、通話機能の動作時にはベースバンド部の受信側から信号を取り込んで受信ベースバンド信号に復調したのち、電話部５を介して通話用スピーカＳＰから音声出力させ、また、通話用マイクＭＣからの入力音声データを電話部５から取り込み、送信ベースバンド信号に符号化したのち、ベースバンド部の送信側に与えてアンテナＡＴから発信出力させる。
【００３２】
操作部６は、十字キー（決定キーや上下左右のカーソルキーなど）、数値キー、文字キー、シャッターキー、録音キーなど、各種の押し釦式のキーを備え、ダイヤル入力、文字入力、コマンド入力などを行うもので、制御部１は、操作部６からの操作信号に応じた処理として、例えば、発信処理など、各種の処理を行う。表示部７は、例えば、高精細液晶や有機ＥＬなどを使用したもので、日時情報、アイコン、文字データ、待受画像、撮影画像などを表示する。そして、表示部７の表示画面（表示領域）は、携帯電話機の筐体（表示部筐体）の表面周縁部を除き略表面全体に設けられたもので、例えば、６４０×３６０画素（１６：９）のように縦横比の異なる画面構成となっている。
【００３３】
撮像部８は、記録対象の情報を入力する入力手段としてのカメラ機能を構成するもので、撮像素子（例えば、ＣＣＤあるいはＣＭＯＳ）を有し、静止画撮影のほかに動画撮影も可能となっている。そして、撮像部８は、撮影レンズ、ミラーなどのレンズ・ミラーブロック、照明用のフラッシュ、それらの駆動系のほか、測距センサ、光量センサ、アナログ処理回路、信号処理回路、圧縮伸張回路などを備え、光学ズームを調整制御したり、オートフォーカス時の駆動制御、シャッター駆動制御、露出、ホワイトバランスなどを制御したりする。また、撮像部８は、被写体に応じて望遠／広角の切り替えができる２焦点式レンズやズームレンズを備え、焦点距離を可変する画角変更機構を作動させて望遠／広角やズーム撮影を行うようにしている。
【００３４】
更に、撮像部８は、２Ｄ静止画撮影／２Ｄ動画撮影のほか、３Ｄ静止画撮影／３Ｄ動画撮影が可能なもので、３Ｄ静止画撮影／３Ｄ動画撮影用として、所定間隔を空けて左眼用のカメラ部（入力部）８Ａと右眼用のカメラ部（入力部）８Ｂが備えられている。３Ｄ静止画撮影／３Ｄ動画撮影時には、カメラ部８Ａ、８Ｂをそれぞれ駆動して同一の被写体を同時に撮影するようにしているが、２Ｄ静止画撮影／２Ｄ動画撮影時には、左眼用のカメラ部８Ａ、右眼用のカメラ部８Ｂのいずれか一方を駆動して２Ｄ撮影を行うようにしている。
【００３５】
制御部１は、この撮像部８によって撮影された２Ｄ画像を録画（記録）する方式（２Ｄ画像記録方式）と３Ｄ画像を録画（記録）する方式（３Ｄ画像記録方式）との切り替えを制御するようにしている。なお、左眼用のカメラ部８Ａ、右眼用のカメラ部８Ｂは、その構成要素の一部分を共用するようにしてもよい。また、撮像部８は、高精細な２Ｄ静止画／２Ｄ動画撮影と、低精細な２Ｄ静止画／２Ｄ動画撮影とが可能となっている。制御部１は、撮像部８によって撮影された高精細な２Ｄ画像を録画（記録）する方式（高精細画像記録方式）と低精細な２Ｄ画像を録画（記録）する方式（低精細画像記録方式）との切り替えを制御するようにしている。この場合、低精細画像記録方式による録画か高精細画像記録方式による録画かをユーザ操作によって任意に切り替え可能のほか、後述するが、筐体の向き（表示部の向き）に応じて切り替え可能となっている。
【００３６】
録音部９は、記録対象の情報を入力する入力手段としての録音機能を構成するもので、モノラル音声記録方式によって録音したり、ステレオ音声記録方式によって録音したりすることが可能なもので、二つの録音マイク（入力部）９Ａ、９Ｂが備えられている。このステレオ音声記録方式による録音時には、二つの録音マイク９Ａ、９Ｂを同時に駆動して録音を開始し、モノラル音声記録方式による録音時には、二つの録音マイク９Ａ、９Ｂのいずれかを駆動して録音を開始するようにしている。
【００３７】
向き検出部１０は、全体が長方形を成す筐体の向き（縦横比の異なる表示部７の向き）を検出するもので、縦長表示となる状態（縦向き）か横長表示となる状態（横向き）かを３軸タイプの加速度センサによって検出するようにしている。なお、向き検出部１０によって検出される縦向き／横向きは、厳密な向きを意味するものではなく、斜めに傾いていてもよく略縦向き／略横向きであってもよい。制御部１は、撮像部８を駆動して撮影を行う場合あるいは録音部９を駆動して録音を行う場合に、向き検出部１０の検出結果を参照し、表示部７の向きを判別するようにしている。なお、スタイル検出部１１については、後述する第２実施形態で説明するものとする。
【００３８】
図２は、携帯電話機の外観図である。
折り畳みタイプの携帯電話機は、その装置本体を構成する操作部筐体１２Ａと表示部筐体１２Ｂとを有し、操作部筐体１２Ａはその正面側に操作部６を備え、表示部筐体１２Ｂは正面側に表示部７を備えている。この操作部筐体１２Ａと表示部筐体１２Ｂとは折り畳み自在（開閉可能）に取り付けられており、両筐体１２Ａ、１２Ｂを開いた状態では操作部６及び表示部７が露出した状態となる。操作部筐体１２Ａと表示部筐体１２Ｂとを開いた状態において、図２（１）は、縦横比の異なる表示部７が縦長表示となる状態（縦向き）の正面図及び背面図を示し、図２（２）は、表示部７が横長表示となる状態（横向き）の正面図及び背面図を示している。
【００３９】
表示部筐体１２Ｂの背面には、所定間隔を空けて二つのカメラ部８Ａ、８Ｂ及び録音マイク９Ａ、９Ｂが備えられている。図中、白丸は、マイク９Ａ、９Ｂを示し、図中、黒丸は、カメラ部８Ａ、８Ｂを示している（以下、同様）。図２（１）に示すように、表示部７が縦向きの状態において、二つのカメラ部８Ａ、８Ｂは、所定間隔を空けて縦一列（縦並び）の状態となり、カメラ部８Ａ、８Ｂの近傍で二つの録音マイク９Ａ、９Ｂも同様に所定間隔を空けて縦一列（縦並び）の状態となる。また、図２（２）に示すように、表示部７が横向きの状態においては、二つのカメラ部８Ａ、８Ｂは、横一列（横並び）の状態となり、カメラ部８Ａ、８Ｂの近傍で二つの録音マイク９Ａ、９Ｂも同様に横一列（横並び）の状態となる。すなわち、表示部７が縦向きでは、カメラ部８Ａ、８Ｂ及び録音マイク９Ａ、９Ｂが縦並びの状態となり、表示部７が横向きでは、カメラ部８Ａ、８Ｂ及び録音マイク９Ａ、９Ｂが横並びの状態となる。
【００４０】
図３は、撮影フラグＦを説明するための図である。
撮影フラグＦは、撮像部８によって撮影された画像の記録方式（２Ｄ画像記録方式／３Ｄ画像記録方式、低精細画像記録方式／高精細画像記録方式）の切り替えを指定するフラグである。すなわち、撮影フラグＦの“０”は、低精細画像記録方式／高精細画像記録方式との切り替えを指定することを示し、“１”は、２Ｄ画像記録方式／３Ｄ画像記録方式との切り替えを指定することを示している。制御部１は、向き検出部１０の検出結果に基づいて表示部７が縦向き（カメラ部８Ａ、８Ｂ及び録音マイク９Ａ、９Ｂが縦並び）であるか、横向き（カメラ部８Ａ、８Ｂ及び録音マイク９Ａ、９Ｂが横並び）であるかの判別を行うようにしている。
【００４１】
この撮影フラグＦが“０”の場合において、縦向き（縦並び）が検出されたときには、低精細画像記録方式を指定し、横向き（横並び）が検出されたときには、高精細画像記録方式を指定するようにしている。また、撮影フラグＦが“１”において、縦向き（縦並び）が検出されたときには、２Ｄ画像記録方式を指定し、横向き（横並び）
が検出されたときには、３Ｄ画像記録方式を指定するようにしている。なお、低精細画像記録方式と高精細画像記録方式、あるいは２Ｄ画像記録方式と３Ｄ画像記録方式は、向き検出部１０の検出結果に基づいて切り替えられるほか、キー操作によっても任意に切り替え可能となっている。
【００４２】
次に、第１実施形態における携帯電話機１の動作概念を図４及び図５に示すフローチャートを参照して説明する。ここで、これらのフローチャートに記述されている各機能は、読み取り可能なプログラムコードの形態で格納されており、このプログラムコードにしたがった動作が逐次実行される。また、ネットワークなど伝送媒体を介して伝送されてきた上述のプログラムコードに従った動作を逐次実行することもできる。このことは後述する他の実施形態においても同様であり、記録媒体のほかに、伝送媒体を介して外部供給されたプログラム／データを利用して本実施形態特有の動作を実行することもできる。
【００４３】
図４及び図５は、電源投入に応じて実行開始される携帯電話機の動作（本実施形態の特徴的な動作）を説明するためのフローチャートである。
先ず、制御部１（図１参照）は、電源投入操作に応じて所定のメモリをクリアするなどの初期設定を行った後（図４のステップＡ１）、何らかの操作や着信などの待ち受け状態となる。すなわち、撮影開始を指示する操作が行われたかを調べたり（ステップＡ２）、録音開始を指示する操作が行われたかを調べたり（図５のステップＡ２４）、その他の操作が行われたかを調べたり（ステップＡ３６）、電話の着信有無を調べたりする（ステップＡ３８）。いま、その他の操作が行われたときには（ステップＡ３６でＹＥＳ）、その操作に応じた処理として、例えば、発信処理などを行った後（ステップＡ３７）、図４のステップＡ２に戻る。また、電話着信を検出したときには（ステップＡ３８でＹＥＳ）、通話処理を行った後（ステップＡ３９）、図４のステップＡ２に戻る。
【００４４】
撮影の開始を指示する操作が行われたときには（図４のステップＡ２でＹＥＳ）、撮影フラグＦを参照し、そのフラグが“１”（２Ｄ画像記録方式／３Ｄ画像記録方式の切り替え）であれば（ステップＡ３でＹＥＳ）、向き検出部１０の検出結果に基づいて表示部７の向きは縦向きか、つまり、カメラ部８Ａ、８Ｂは縦並びの状態であるかを調べ（ステップＡ４）、縦向き（縦並び）の状態であれば（ステップＡ４でＹＥＳ）、３Ｄ画像記録方式からの切り替えであるかを調べる（ステップＡ５）。いま、３Ｄ画像記録方式からの切り替えでなければ（ステップＡ５でＮＯ）、現在、２Ｄ画像記録方式が指定されている場合であると判断してステップＡ８に移り、カメラ部８Ａ、８Ｂのいずれか一方に電源供給を行って、２Ｄ画像記録方式による撮影を開始させる（ステップＡ９）。この場合、表示部７に視差バリアが生成されているかを調べ、視差バリアが生成されていれば、この視差バリアを消去させた後、カメラ部８Ａ、８Ｂのいずれか一方を駆動して２Ｄ画像記録方式による撮影を開始させるようにしている。
【００４５】
また、３Ｄ画像記録方式からの切り替えであれば（ステップＡ５でＹＥＳ）、つまり、３Ｄ画像記録方式が指定されている状態において縦向き（縦並び）が検出されたときには、３Ｄ画像記録方式から２Ｄ画像記録方式に切り替えることをユーザに問い合わせる確認メッセージを表示させた後、その切り替えを肯定する確認ＯＫ操作が行われたかを調べる（ステップＡ６）。ここで、確認ＯＫ操作が行われなければ（ステップＡ６でＮＯ）、縦向き（縦並び）で３Ｄ画像記録方式による撮影が不向きである旨のメッセージを表示させた後（ステップＡ７）、上述のステップＡ３に戻るが、確認ＯＫ操作が行われたときには（ステップＡ６でＹＥＳ）、カメラ部８Ａ、８Ｂのいずれか一方に電源供給を行って（ステップＡ８）、２Ｄ画像記録方式による撮影を開始させる（ステップＡ９）。
【００４６】
また、向き検出部１０の検出結果から表示部７の向きが横向き、つまり、カメラ部８Ａ、８Ｂが横並びであれば（ステップＡ４でＮＯ）、２Ｄ画像記録方式からの切り替えであるかを調べる（ステップＡ１０）。いま、２Ｄ画像記録方式からの切り替えではなければ（ステップＡ１０でＮＯ）、現在、３Ｄ画像記録方式が指定されている場合であると判断してステップＡ１２に移り、カメラ部８Ａ、８Ｂの両方に電源供給を行って、３画像記録方式による撮影を開始させる（ステップＡ１３）。この場合、表示部７に視差バリアが生成されているかを調べ、視差バリアが生成されていなければ、表示部７に視差バリアを生成させた後、同一の被写体を同時にカメラ部８Ａ、８Ｂの両方を駆動して３Ｄ画像記録方式による撮影を開始させるようにしている。
【００４７】
２Ｄ画像記録方式からの切り替えであれば（ステップＡ１０でＹＥＳ）、つまり、２Ｄ画像記録方式が指定されている状態において横向き（横並び）が検出されたときには、２Ｄ画像記録方式から３Ｄ画像記録方式に切り替えることをユーザに問い合わせる確認メッセージを表示させた後、その切り替えを肯定する確認ＯＫ操作が行われたかを調べる（ステップＡ１１）。ここで、確認ＯＫ操作が行われなければ（ステップＡ１１でＮＯ）、横向き（横並び）で２Ｄ画像記録方式による撮影を行う場合であると判断して、上述のステップＡ８に移り、カメラ部８Ａ、８Ｂのいずれか一方に電源供給を行った後、２Ｄ画像記録方式による撮影を開始させるが（ステップＡ９）、確認ＯＫ操作が行われたときには（ステップＡ１１でＹＥＳ）、カメラ部８Ａ、８Ｂの両方に電源供給を行って（ステップＡ１２）、３Ｄ画像記録方式による撮影を開始させる（ステップＡ１３）。なお、上述のように横向き（横並び）の状態において２Ｄ画像記録方式による撮影を行った後、３Ｄ画像記録方式に切り替える場合には、一度、縦向き（縦並び）に変更してから再度、横向き（横並び）に変更するようにすればよい。
【００４８】
このようにして２Ｄ画像記録方式による撮影（ステップＡ９）、あるいは３Ｄ画像記録方式による撮影（ステップＡ１３）を開始させた後は、次のステップＡ１４に移り、今回の撮影が静止画撮影であるかを調べ、静止画撮影であれば（ステップＡ１４でＹＥＳ）、上述のステップＡ２に戻るが、動画撮影であれば（ステップＡ１４でＮＯ）、動画撮影の終了を指示する操作が行われるまで（ステップＡ１５でＹＥＳ）、上述のステップＡ３に戻って動画撮影を継続させる。
【００４９】
一方、撮影フラグＦが“０”（低精細画像記録方式／高精細画像記録方式の切り替え）であれば（ステップＡ３でＮＯ）、カメラ部８Ａ、８Ｂのいずれか一方に電力供給を行った後（ステップＡ１６）、向き検出部１０の検出結果に基づいて縦向き（縦並び）であるかを調べ（ステップＡ１７）、縦向き（縦並び）であれば（ステップＡ１７でＹＥＳ）、高精細記録方式からの切り替えであるかを調べる（ステップＡ１８）。いま、高精細画像記録方式からの切り替えでなければ（ステップＡ１８でＮＯ）、現在、低精細画像記録方式が指定されている場合であると判断してステップＡ２０に移り、低精細画像記録方式による撮影を開始させる。
【００５０】
高精細画像記録方式からの切り替えであれば（ステップＡ１８でＹＥＳ）、つまり、高精細画像記録方式が指定されている状態において縦向き（縦並び）が検出されたときには、高精細画像記録方式から低精細画像記録方式に切り替えることをユーザに問い合わせる確認メッセージを表示させた後、その切り替えを肯定する確認ＯＫ操作が行われたかを調べる（ステップＡ１９）。ここで、確認ＯＫ操作が行われなければ（ステップＡ１９でＮＯ）、ステップＡ２３に移って高精細画像記録方式による撮影を開始させるが、確認ＯＫ操作が行われたときには（ステップＡ１９でＹＥＳ）、低精細画像記録方式による撮影を開始させる（ステップＡ２０）。
【００５１】
また、向き検出部１０の検出結果に基づいて横向き、つまり、カメラ部８Ａ、８Ｂが横並びの状態であれば（ステップＡ１７でＮＯ）、低精細画像記録方式からの切り替えであるかを調べる（ステップＡ２１）。いま、低精細画像記録方式からの切り替えでなければ（ステップＡ２１でＮＯ）、現在、高精細画像記録方式が指定されている場合であると判断してステップＡ２３に移り、高精細画像記録方式による撮影を開始させるが、低精細画像記録方式からの切り替えであれば（ステップＡ２１でＹＥＳ）、つまり、低精細画像記録方式が指定されている状態において横向き（横並び）が検出されたときには、低精細画像記録方式から高精細３Ｄ画像記録方式に切り替えることをユーザに問い合わせる確認メッセージを表示させた後、その切り替えを肯定する確認ＯＫ操作が行われたかを調べる（ステップＡ２２）。
【００５２】
ここで、確認ＯＫ操作が行われなければ（ステップＡ２２でＮＯ）、横向き（横並び）の状態において低精細画像記録方式で撮影する場合であると判断して、ステップＡ２０に移り、低精細画像記録方式による撮影を開始させるが、確認ＯＫ操作が行われたときには（ステップＡ２２でＹＥＳ）、高精細画像記録方式による撮影を開始させる（ステップＡ２３）。このようにして低精細画像記録方式による撮影（ステップＡ２０）、あるいは高精細画像記録方式による撮影（ステップＡ２３）を開始させた後は、次のステップＡ１４に移り、今回の撮影が静止画撮影であれば（ステップＡ１４でＹＥＳ）、上述のステップＡ２に戻るが、動画撮影であれば（ステップＡ１４でＮＯ）、２Ｄ動画撮影の終了を指示する操作が行われるまで（ステップＡ１５でＹＥＳ）、上述のステップＡ３に戻って動画撮影を継続させる。
【００５３】
他方、録音の開始を指定する操作が行われた場合には（図５のステップＡ２４でＹＥＳ）、向き検出部１０の検出結果に基づいて縦向き（縦並び）であるかを調べ（ステップＡ２５）、縦向き（縦並び）であれば（ステップＡ２５でＹＥＳ）、ステレオ音声記録方式からの切り替えであるかを調べる（ステップＡ２６）。いま、ステレオ音声記録方式からの切り替えでなければ（ステップＡ２６でＮＯ）、現在、モノラル音声記録方式が指定されていると判断してステップＡ２９に移り、録音マイク９Ａ、９Ｂのいずれか一方に電源供給を行って、モノラル音声記録方式による録音を開始させる（ステップＡ３０）。
【００５４】
ステレオ音声記録方式からの切り替えであれば（ステップＡ２６でＹＥＳ）、つまり、ステレオ音声記録方式が指定されている状態において縦向き（縦並び）が検出されたときには、ステレオ音声記録方式からモノラル音声記録方式に切り替えることをユーザに問い合わせる確認メッセージを表示させた後、その切り替えを肯定する確認ＯＫ操作が行われたかを調べる（ステップＡ２７）。ここで、確認ＯＫ操作が行われなければ（ステップＡ２７でＮＯ）、縦向き（縦並び）状態ではステレオ音声記録方式は不向きである旨のメッセージを表示させた後（ステップＡ２８）、上述のステップＡ２５に戻るが、確認ＯＫ操作が行われたときには（ステップＡ２７でＹＥＳ）、録音マイク９Ａ、９Ｂのいずれか一方に電源供給を行って（ステップＡ２９）、モノラル音声記録方式による録音を開始させる（ステップＡ３０）。
【００５５】
向き検出部１０の検出結果から横向き、つまり、録音マイク９Ａ、９Ｂが横並びであれば（ステップＡ２５でＮＯ）、モノラル音声記録方式からの切り替えであるかを調べる（ステップＡ３２）。いま、モノラル音声記録方式からの切り替えでなければ（ステップＡ３２でＮＯ）、現在、ステレオ音声記録方式が指定されていると判断してステップＡ３４に移り、録音マイク９Ａ、９Ｂの両方に電源供給を行って、ステレオ音声記録方式による録音を開始させるが（ステップＡ３５）、モノラル音声記録方式からの切り替えであれば（ステップＡ３２でＹＥＳ）、つまり、モノラル音声記録方式が指定されている状態において横向き（横並び）が検出されたときには、モノラル音声記録方式からステレオ音声記録方式に切り替えることをユーザに問い合わせる確認メッセージを表示させた後、その切り替えを肯定する確認ＯＫ操作が行われたかを調べる（ステップＡ３３）。
【００５６】
ここで、確認ＯＫ操作が行われなければ（ステップＡ３３でＮＯ）、横向き（横並び）の状態においてモノラル音声記録方式で録音する場合であると判断して、ステップＡ２９に移り、録音マイク９Ａ、９Ｂのいずれか一方に電源供給を行って、モノラル音声記録方式による録音を開始させるが（ステップＡ３０）、確認ＯＫ操作が行われたときには（ステップＡ３３でＹＥＳ）、録音マイク９Ａ、９Ｂの両方に電源供給を行って（ステップＡ３４）、ステレオ音声記録方式による録音を開始させる（ステップＡ３５）。このようにしてモノラル音声記録方式による録音（ステップＡ３０）、あるいはステレオ音声記録方式による録音（ステップＡ３５）を開始させた後は、次のステップＡ３１に移り、録音の終了を指示する操作が行われるまで（ステップＡ３１でＹＥＳ）、上述のステップＡ２５に戻って録音動作を継続させる。
【００５７】
以上のように、第１実施形態において制御部１は、複数の入力部（カメラ部８Ａ、８Ｂ、あるいは録音マイク９Ａ、９Ｂ）が縦並びとなる状態であるか横並びとなる状態であるかを検出する向き検出部１０の検出結果に基づいて、複数の記録方式のいずれかの記録方式に切り替えるようにしたので、別なスイッチ操作を行わなくても、携帯電話機の向きを変えるだけで複数の記録方式のいずれかに切り替えて情報を記録することができ、操作性及び利便性を向上させることかできる。
【００５８】
複数のカメラ部８Ａ、８Ｂが縦並びの場合には２Ｄ画像記録方式に切り替え、横並びの場合に３Ｄ画像記録方式に切り替えるようにしたので、２Ｄ画像の撮影と３Ｄ画像の撮影の切り替えを携帯電話機の向きを変えるだけで容易に行うことができる。
【００５９】
２Ｄ画像記録方式に切り替えられた場合に、複数のカメラ部８Ａ、８Ｂのうちそのいずれか一方を有効にするようにしたので、余計な電力消費を抑制することができ、また、不要なノイズの混入を防止することも可能となる。
【００６０】
複数のカメラ部８Ａ、８Ｂが縦並びの場合には低精細画像記録方式に切り替え、横並びの場合に高精細画像記録方式に切り替えるようにしたので、低精細画像の撮影と高精細画像の撮影の切り替えを携帯電話機の向きを変えるだけで容易に行うことができる。
【００６１】
複数の録音マイク９Ａ、９Ｂが縦並びの場合にモノラル音声記録方式に切り替え、横並びの場合にステレオ音声記録方式に切り替えるようにしたので、モノラル音声の録音とステレオ音声の録音の切り替えを携帯電話機の向きを変えるだけで容易に行うことができる。
【００６２】
モノラル音声記録方式に切り替えられた場合に、複数の録音マイク９Ａ、９Ｂのうちそのいずれか一方を有効にするようにしたので、余計な電力消費を抑制することができ、また、不要なノイズの混入を防止することも可能となる。
【００６３】
記録方式の切り替えが行われた場合に、その切り替えをユーザに確認させるための確認表示を行うようにしたので、意図しない記録方式に自動的に切り替わらないようにすることができる。
【００６４】
上述した第１実施形態においては、操作部筐体と表示部筐体を折り畳み自在とした折り畳みタイプの携帯電話機に適用した場合を示したが、図６に示すように、１枚の板状の筐体によって構成されたストレートタイプの携帯電話機に適用してもよい。この場合、カメラ部８Ａ、８Ｂ、録音マイク９Ａ、９Ｂは、筐体の背面に配設されている。図６（１）は、縦横比の異なる表示部７が縦長表示となる状態（縦向き）を示し、この縦向きの状態では、二つのカメラ部８Ａ、８Ｂは、所定間隔を空けて縦一列（縦並び）に配設され、また、二つの録音マイク９Ａ、９Ｂも同様に所定間隔を空けて縦一列（縦並び）に配設されている。図６（２）は、表示部７が横長表示となる状態（横向き）を示し、この横向きの状態では、二つのカメラ部８Ａ、８Ｂは、横一列（横並び）に配設され、二つの録音マイク９Ａ、９Ｂも同様に横一列（横並び）に配設されている。このようにストレートタイプの携帯電話機であっても、上述した第１実施形態と同様の効果を有する。
【００６５】
上述した第１実施形態においては、携帯電話機の向きとして、縦向き（縦並び）の状態と横向き（横並び）の状態の２種類を例示したが、この２種類に限らず、例えば、それらの中間の向きとして、複数の入力部が斜めに並ぶ状態（斜め並び）の状態を検出するようにしてもよい。この場合、携帯電話機の３種類の向きに対応して、３種類の記録方式のいずれかを切り替えるようにすればよい。
【００６６】
上述した第１実施形態においては、向き検出部１０によって表示部７の向き、つまり、携帯電話機の向きを加速度センサによって検出するようにしたが、加速度センサに限らず、例えば、電子コンパスなどで携帯電話機の向きを検出するようにしてもよい。
【００６７】
（実施形態２）
以下、この発明の第２実施形態について図７〜図９を参照して説明する。
なお、上述した第１実施形態においては、折り畳みタイプの携帯電話機において、向き検出部１０の検出結果に基づいて、複数の記録方式のいずれかの記録方式に切り替えるようにしたが、この第２実施形態においては、２軸ヒンジタイプの携帯電話機において、スタイル検出部１１の検出結果に基づいて、複数の記録方式のいずれかの記録方式に切り替えるようにしたものである。ここで、両実施形態において基本的あるいは名称的に同一のものは、同一符号を付して示し、その説明を省略すると共に、以下、第２実施形態の特徴部分を中心に説明するものとする。
【００６８】
図７は、２軸ヒンジタイプの携帯電話機の外観図である。
この携帯電話機は、操作部筐体１２Ａと表示部筐体１２Ｂとが開閉可能（折り畳み可能）に取り付けられていると共に、操作部筐体１２Ａに対して表示部筐体１２Ｂがその表裏が反転可能となるように取り付けられてなる２軸ヒンジタイプの携帯電話機である。操作部筐体１２Ａの背面には、所定間隔を空けて二つのカメラ部８Ａ、８Ｂ及び録音マイク９Ａ、９Ｂが備えられている。図７（１）は、操作部筐体１２Ａと表示部筐体１２Ｂとの折り畳みを開くことによって表示部７及び操作部４が露出した状態となるオープンスタイルにおいての正面図及び背面図を示している。
【００６９】
このオープンスタイルにおいて、二つのカメラ部８Ａ、８Ｂは、所定間隔を空けて縦一列（縦並び）の状態となり、二つの録音マイク９Ａ、９Ｂも同様に所定間隔を空けて縦一列（縦並び）の状態となる。図７（２）は、操作部筐体１２Ａと表示部筐体１１Ｂとを折り畳むことによって表示部７が露出し、かつ操作部６が隠れた状態となるビュースタイルにおいての正面図及び背面図を示している。このビュースタイルにおいて、二つのカメラ部８Ａ、８Ｂは、所定間隔を空けて横一列（横並び）の状態となり、二つの録音マイク９Ａ、９Ｂも同様に所定間隔を空けて横一列（横並び）の状態となる。
【００７０】
スタイル検出部１１（図１参照）は、操作部筐体１２Ａと表示部筐体１２Ｂとの連結状態に応じて変化するスタイルを検出するもので、例えば、操作部筐体１２Ａと表示部筐体１２Ｂの各所に磁石と磁力センサを配置して、この磁力センサの検出結果に基づいてスタイルを検出する構成となっている。なお、スタイル検出部１１は、所定のスタイルに変更されるまでの途中の形態（前後の形態）を含めて検出するようにしてもよい。例えば、オープンスタイルとは、完全に折り畳みを開いた状態のみに限らず、その途中の形態（例えば、半開き状態）をも含めるようにしてもよい。
【００７１】
図８及び図９は、第２実施形態において、電源投入に応じて実行開始される携帯電話機の動作（本実施形態の特徴的な動作）を説明するためのフローチャートである。なお、図８及び図９のフローチャートは、スタイルに関する点が相違し、その他は上述した図４及び図５のフローチャートと基本的に同様であるため、同様の部分についてはその説明を簡単に行うものとする。
先ず、初期設定を行った後（図８のステップＢ１）、撮影開始を指示する操作が行われたかを調べたり（ステップＢ２）、録音開始を指示する操作が行われたかを調べたり（図９のステップＢ２３）、その他の操作が行われたかを調べたり（ステップＢ３４）、電話の着信有無を調べたりする（ステップＢ３６）。
【００７２】
その他の操作が行われたときには（ステップＢ３４でＹＥＳ）、その操作に応じた処理を行った後（ステップＢ３５）、図８のステップＢ２に戻る。また、電話着信を検出したときには（ステップＢ３６でＹＥＳ）、通話処理を行った後（ステップＢ３７）、図８のステップＢ２に戻る。また、撮影の開始を指示する操作が行われた場合に（ステップＢ２でＹＥＳ）、撮影フラグＦが“１”（２Ｄ画像記録方式／３Ｄ画像記録方式の切り替え）であれば（ステップＢ３でＹＥＳ）、スタイル検出部１１の検出結果に基づいてオープンスタイルであるかを調べる（ステップＢ４）。
【００７３】
いま、オープンスタイルにおいて（ステップＢ４でＹＥＳ）、３Ｄ画像記録方式からの切り替えでなければ（ステップＢ５でＮＯ）、現在、２Ｄ画像記録方式が指定されていると判断してステップＢ７に移り、カメラ部８Ａ、８Ｂのいずれか一方に電源供給を行って、２Ｄ画像記録方式による撮影を開始させる（ステップＢ８）。また、３Ｄ画像記録方式からの切り替えであれば（ステップＢ５でＹＥＳ）、３Ｄ画像記録方式から２Ｄ画像記録方式に切り替えることをユーザに問い合わせる確認メッセージを表示させた後、その切り替えを肯定する確認ＯＫ操作が行われたかを調べる（ステップＢ６）。ここで、確認ＯＫ操作が行われなければ（ステップＢ６でＮＯ）、オープンスタイルの横向きの状態で３Ｄ画像記録方式による撮影を行う場合であると判断して、ステップＢ１１に移り、カメラ部８Ａ、８Ｂの両方に電源供給を行って、３Ｄ画像記録方式による撮影を開始させる（ステップＢ１２）。
【００７４】
確認ＯＫ操作が行われたときには（ステップＢ６でＹＥＳ）、カメラ部８Ａ、８Ｂのいずれかに電源供給を行って（ステップＢ７）、２Ｄ画像記録方式による撮影を開始させる（ステップＢ８）。なお、上述のようにオープンスタイルの横向きの状態で３Ｄ画像記録方式による撮影を行った後、２Ｄ画像記録方式に切り替える場合には、一度、ビュースタイルに変更してから再度オープンスタイルに変更するようにすればよい。そして、今回の撮影が静止画撮影であれば（ステップＢ１３でＹＥＳ）、上述のステップＢ２に戻るが、動画撮影であれば（ステップＢ１３でＮＯ）、動画撮影の終了を指示する操作が行われるまで（ステップＢ１４でＹＥＳ）、上述のステップＢ３に戻って動画撮影を継続させる。
【００７５】
また、ビュースタイルにおいて（ステップＢ４でＮＯ）、２Ｄ画像記録方式からの切り替えでなければ（ステップＢ９でＮＯ）、現在、３Ｄ画像記録方式が指定されている場合であると判断してステップＢ１１に移り、カメラ部８Ａ、８Ｂの両方に電源供給を行い、３Ｄ画像記録方式による撮影を開始させる（ステップＢ１２）。また、２Ｄ画像記録方式からの切り替えであれば（ステップＢ９でＹＥＳ）、２Ｄ画像記録方式から３Ｄ画像記録方式に切り替えることをユーザに問い合わせる確認メッセージを表示させた後、その切り替えを肯定する確認ＯＫ操作が行われたかを調べる（ステップＢ１０）。ここで、確認ＯＫ操作が行われなければ（ステップＢ１０でＮＯ）、ビュースタイルで２Ｄ画像記録方式による撮影を行う場合であると判断して、上述のステップＢ７に移り、カメラ部８Ａ、８Ｂのいずれかに電源供給を行って、２Ｄ画像記録方式による撮影を開始させる（ステップＢ８）。
【００７６】
確認ＯＫ操作が行われたときには（ステップＢ１０でＹＥＳ）、カメラ部８Ａ、８Ｂの両方に電源供給を行って（ステップＢ１１）、３Ｄ画像記録方式による撮影を開始させる（ステップＢ１２）。なお、上述のようにビュースタイルで２Ｄ画像記録方式による撮影を行った後、３Ｄ画像記録方式に切り替える場合には、一度、オープンスタイルに変更してから再度ビュースタイルに変更するようにすればよい。そして、今回の撮影が静止画撮影であれば（ステップＢ１３でＹＥＳ）、上述のステップＢ２に戻るが、動画撮影であれば（ステップＢ１３でＮＯ）、動画撮影の終了を指示する操作が行われるまで（ステップＢ１４でＹＥＳ）、上述のステップＢ３に戻って動画撮影を継続させる。
【００７７】
一方、撮影フラグＦが“０”（低精細画像記録方式／高精細画像記録方式の切り替え）であれば（ステップＢ３でＮＯ）、カメラ部８Ａ、８Ｂのいずれか一方に電力供給を行った後（ステップＢ１５）、スタイル検出部１１の検出結果に基づいてオープンスタイルであるかを調べる（ステップＢ１６）。いま、オープンスタイルにおいて（ステップＢ１６でＹＥＳ）、高精細記録方式からの切り替えでなければ（ステップＢ１７でＮＯ）、低精細画像記録方式による撮影を開始させるが（ステップＢ１９）、高精細画像記録方式からの切り替えであれば（ステップＢ１７でＹＥＳ）、高精細画像記録方式から低精細画像記録方式に切り替えることをユーザに問い合わせる確認メッセージを表示させた後、その切り替えを肯定する確認ＯＫ操作が行われたかを調べる（ステップＢ１８）。ここで、確認ＯＫ操作が行われなければ（ステップＢ１８でＮＯ）、高精細画像記録方式による撮影を開始させるが（ステップＢ２２）、確認ＯＫ操作が行われたときには（ステップＢ１８でＹＥＳ）、低精細画像記録方式による撮影を開始させる（ステップＢ１９）。
【００７８】
また、ビュースタイルにおいて（ステップＢ１６でＮＯ）、低精細画像記録方式からの切り替えではなければ（ステップＢ２０でＮＯ）、現在、高精細画像記録方式が指定されていると判断してステップＢ２２に移り、高精細画像記録方式による撮影を開始させるが、低精細画像記録方式からの切り替えであれば（ステップＢ２０でＹＥＳ）、低精細画像記録方式から高精細３Ｄ画像記録方式に切り替えることをユーザに問い合わせる確認メッセージを表示させた後、その切り替えを肯定する確認ＯＫ操作が行われたかを調べる（ステップＢ２１）。
【００７９】
ここで、確認ＯＫ操作が行われなければ（ステップＢ２１でＮＯ）、ビュースタイルで低精細画像記録方式による撮影を行う場合であると判断して、低精細画像記録方式による撮影を開始させるが（ステップＢ１９）、確認ＯＫ操作が行われたときには（ステップＢ２１でＹＥＳ）、高精細画像記録方式による撮影を開始させる（ステップＢ２２）。そして、今回の撮影が静止画撮影であれば（ステップＢ１３でＹＥＳ）、上述のステップＢ２に戻るが、動画撮影であれば（ステップＢ１３でＮＯ）、動画撮影の終了を指示する操作が行われるまで（ステップＢ１４でＹＥＳ）、上述のステップＢ３に戻って動画撮影を継続させる。
【００８０】
他方、録音の開始を指定する操作が行われた場合には（図９のステップＢ２３でＹＥＳ）、スタイル検出部１１の検出結果に基づいてオープンスタイルであるかを調べる（ステップＢ２４）。いま、オープンスタイルにおいて（ステップＢ２４でＹＥＳ）、ステレオ音声記録方式からの切り替えでなければ（ステップＢ２５でＮＯ）、現在、モノラル音声記録方式が指定されていると判断してステップＢ２７に移り、録音マイク９Ａ、９Ｂのいずれか一方に電源供給を行って、モノラル記録方式による録音を開始させる（ステップＢ２８）。
【００８１】
ステレオ音声記録方式からの切り替えであれば（ステップＢ２５でＹＥＳ）、ステレオ音声記録方式からモノラル音声記録方式に切り替えることをユーザに問い合わせる確認メッセージを表示させた後、その切り替えを肯定する確認ＯＫ操作が行われたかを調べる（ステップＢ２６）。ここで、確認ＯＫ操作が行われなければ（ステップＢ２６でＮＯ）、オープンスタイルの横向き状態でステレオ音声記録方式による録音を行う場合であると判断して、ステップＢ３２に移り、録音マイク９Ａ、９Ｂの両方に電源供給を行って、ステレオ音声記録方式による録音を開始させるが（ステップＢ３３）、確認ＯＫ操作が行われたときには（ステップＢ２６でＹＥＳ）、録音マイク９Ａ、９Ｂのいずれか一方に電源供給を行って（ステップＢ２７）、モノラル音声記録方式による録音を開始させる（ステップＢ２８）。
【００８２】
また、ビュースタイルにおいて（ステップＢ２４でＮＯ）、ステレオ音声記録方式からの切り替えでなければ（ステップＢ３０でＮＯ）、録音マイク９Ａ、９Ｂの両方に電源供給を行い（ステップＢ３２）、ステレオ音声記録方式による録音を開始させるが（ステップＢ３３）、モノラル音声記録方式からの切り替えであれば（ステップＢ３０でＹＥＳ）、モノラル音声記録方式からステレオ音声記録方式に切り替えることをユーザに問い合わせる確認メッセージを表示させた後、その切り替えを肯定する確認ＯＫ操作が行われたかを調べる（ステップＢ３１）。
【００８３】
ここで、確認ＯＫ操作が行われなければ（ステップＢ３１でＮＯ）、ビュースタイルでモノラル音声記録方式による録音を行う場合であると判断して、上述のステップＢ２７に移り、録音マイク９Ａ、９Ｂのいずれか一方に電源供給を行って、モノラル音声記録方式による録音を開始させるが（ステップＢ２８）、確認ＯＫ操作が行われたときには（ステップＢ３１でＹＥＳ）、録音マイク９Ａ、９Ｂの両方に電源供給を行って（ステップＢ３２）、ステレオ音声記録方式による録音を開始させる（ステップＢ３３）。なお、上述したようにビュースタイルでモノラル音声記録方式による録音を行った後、ステレオ音声記録方式に切り替える場合には、一度オープンスタイルに変更してから再度ビュースタイルに変更するようにすればよい。そして、録音の終了を指示する操作が行われるまで（ステップＢ２９でＹＥＳ）、上述のステップＢ２４に戻って録音動作を継続する。
【００８４】
以上のように、第２実施形態において制御部１は、筐体の連結状態に応じて変化するスタイルを検出するスタイル検出部１１の検出結果に基づいて、複数の記録方式のいずれかの記録方式に切り替えるようにしたので、別なスイッチ操作を行わなくても、携帯電話機のスタイルを変えるだけで複数の記録方式のいずれかに切り替えて情報を記録することができ、操作性及び利便性を向上させることかできる。
【００８５】
複数のカメラ部８Ａ、８Ｂが縦並びの状態となるオープンスタイルの場合に２Ｄ画像記録方式に切り替え、横並びの状態となるビュースタイルの場合に３Ｄ画像記録方式に切り替えるようにしたので、２Ｄ画像の撮影と３Ｄ画像の撮影の切り替えを携帯電話機のスタイルを変えるだけで容易に行うことができる。
【００８６】
２Ｄ画像記録方式に切り替えられた場合に、複数のカメラ部８Ａ、８Ｂのうちそのいずれか一方を有効にするようにしたので、余計な電力消費を抑制することができ、また、不要なノイズの混入を防止することも可能となる。
【００８７】
複数のカメラ部８Ａ、８Ｂが縦並びの状態となるように保持されるオープンスタイルの場合に低精細画像記録方式に切り替え、横並びの状態となるように保持されるビュースタイルの場合に高精細画像記録方式に切り替えるようにしたので、低精細画像の撮影と高精細画像の撮影の切り替えを携帯電話機のスタイルを変えるだけで容易に行うことができる。
【００８８】
複数の録音マイク９Ａ、９Ｂが縦並びの状態となるように保持されるオープンスタイルの場合にモノラル音声記録方式に切り替え、横並びの状態となるように保持されるビュースタイルの場合にステレオ音声記録方式に切り替えるようにしたので、モノラル音声の録音とステレオ音声の録音の切り替えを携帯電話機のスタイルを変えるだけで容易に行うことができる。
【００８９】
モノラル音声記録方式に切り替えられた場合に、複数の録音マイク９Ａ、９Ｂのうちそのいずれか一方を有効にするようにしたので、余計な電力消費を抑制することができ、また、不要なノイズの混入を防止することも可能となる。
【００９０】
オープンスタイルの場合には２Ｄ画像記録方式／低精細画像記録方式／モノラル音声記録方式に切り替え、ビュースタイルの場合には３Ｄ画像記録方式／高精細画像記録方式／ステレオ音声記録方式に切り替えるようにしたので、カメラ撮影など特別な操作の際に使用されるビュースタイルに変えるだけで、３Ｄ画像記録方式／高精細画像記録方式／ステレオ音声記録方式に切り替えることができる。
【００９１】
ビュースタイルにおいて、二つのカメラ部８Ａ、８Ｂは、所定間隔を空けて横一列（横並び）となり、二つの録音マイク９Ａ、９Ｂも同様に所定間隔を空けて横一列（横並び）となるので、カメラ部８Ａ、８Ｂ、録音マイク９Ａ、９Ｂは、３Ｄ画像記録方式／高精細画像記録方式／ステレオ音声記録方式に適した配置状態となる。
【００９２】
記録方式の切り替えが行われた場合に、その切り替えをユーザに確認させるための確認表示を行うようにしたので、意図しない記録方式に自動的に切り替わらないようにすることができる。
【００９３】
なお、上述した第２実施形態においては、２軸ヒンジタイプの携帯電話機に適用した場合を示したが、図１０に示すように、操作部筐体１２Ａの上側に表示部筐体１２Ｂをスライド可能に取り付けたスライドタイプの携帯電話機に適用するようにしてもよい。この場合、カメラ部８Ａ、８Ｂ、録音マイク９Ａ、９Ｂは、各筐体１２Ａ、１２Ｂの背面に一つずつ配設されている。すなわち、操作部筐体１２Ａの背面にはカメラ部８Ｂ、録音マイク９Ｂが配設され、表示部筐体１２Ｂの背面にはカメラ部８Ａ、録音マイク９Ａが配設されている。
【００９４】
図１０（１）は、操作部筐体１２Ａの上側に表示部筐体１２Ｂを重ね合わせた閉じたスライド閉状態（スライド閉スタイル）を示し、このスライド閉スタイルでは操作部筐体１２Ａの背面に取れ付けたカメラ部８Ｂ、録音マイク９Ｂが露出した状態となり、表示部筐体１２Ｂの背面に取れ付けたカメラ部８Ａ、録音マイク９Ａは操作部筐体１２Ａによって隠れた状態となる。図１０（２）は、操作部筐体１２Ａと表示部筐体１２Ｂとの重ね合わせを解除したスライド開状態（スライド開スタイル）を示し、このスライド開スタイルでは、各筐体１２Ａ、１２Ｂの背面に配設されたカメラ部８Ａ、８Ｂ、録音マイク９Ａ、９Ｂがそれぞれ露出した状態となる。なお、このスライドタイプの携帯電話機には、図示省略したが、操作部筐体１２Ａの側部には、撮影の開始を指示したり、録音の開始を指示したりするキー（サイドキー）が設けられている。
【００９５】
なお、このように構成されたスライドタイプの携帯電話機であっても、第２実施形態と同様に、スタイル検出部１１の検出結果に基づいて、複数の記録方式のいずれかの記録方式に切り替えるようにしている。すなわち、制御部１は、撮影の開始操作が行われたり、録音の開始操作が行われたりすると、スタイル検出部１１の検出結果に基づいてスライド閉スタイルであるかスライド開スタイルであるかを判別するようにしている。この場合、上述した第２実施形態の図８、図９のフローチャートにおいて、オープンスタイルであるかビュースタイルであるかを判別するステップＢ４、Ｂ１６、Ｂ２４では、スライド閉スタイルかスライド開スタイルかを判別するようにすればよい。ここで、スライド閉スタイルの場合には、２Ｄ画像記録方式／低精細画像記録方式／モノラル音声記録方式に切り替え、スライド開スタイルの場合には３Ｄ画像記録方式／高精細画像記録方式／ステレオ音声記録方式に切り替えるようにすればよい。
【００９６】
このようにスライドタイプの携帯電話機においては、スライド閉スタイルの場合には２Ｄ画像記録方式／低精細画像記録方式／モノラル音声記録方式に切り替え、スライド開スタイルの場合には３Ｄ画像記録方式／高精細画像記録方式／ステレオ音声記録方式に切り替えようにしたので、操作部６を使用するスタイルに変えるだけで、３Ｄ画像記録方式／高精細画像記録方式／ステレオ音声記録方式に切り替えることができる。
【００９７】
スライド開スタイルにおいて、二つのカメラ部８Ａ、８Ｂは、所定間隔を空けて横一列（横並び）の状態となり、二つの録音マイク９Ａ、９Ｂも同様に所定間隔を空けて横一列（横並び）の状態となるので、カメラ部８Ａ、８Ｂ、録音マイク９Ａ、９Ｂは、スライド開スタイルでは、３Ｄ画像記録方式／高精細画像記録方式／ステレオ音声記録方式に適した配置状態となる。その他、このスライドタイプの携帯電話機においても、上述した第２実施形態と同様の効果を有する。
【００９８】
なお、上述した第２実施形態においては、スタイル検出部１１によって２つのスタイルを検出するようにしたが、３つ以上のスタイルを検出して、それに対応する記録方式に切り替えるようにしてよい。この場合、３種類のスタイルに対応して、３種類の記録方式のいずれかに切り替えるようにすればよい。また、スタイル検出部１１は、操作部筐体１２Ａと表示部筐体１２Ｂの各所に磁石と磁力センサを配置して、この磁力センサの検出結果に基づいてスタイルを検出するようにしたが、光センサ、機械的なスイッチなどによってスタイルを検出するようにしてもよい。
【００９９】
上述した各実施形態においては、情報記録装置として携帯電話機を例示したが、これに限らず、複数の記録方式のいずれかによって情報の記録を行う情報記録装置としては、例えば、パーソナルコンピュータ、デジタルカメラ、ＰＤＡ、音楽プレイヤー、録音機、それらの複合機などであってもよい。
【０１００】
上述した各実施形態において示した“装置”や“機”とは、機能別に複数の筐体に分離されていてもよく、単一の筐体に限らない。また、上述したフローチャートに記述した各ステップは、時系列的な処理に限らず、複数のステップを並列的に処理したり、別個独立して処理したりするようにしてもよい。
【符号の説明】
【０１０１】
１  制御部
３  記憶部
６  操作部
７  表示部
８  撮像部
８Ａ、８Ｂ  カメラ部
９  録音部
９Ａ、９Ｂ  録音マイク
１０  向き検出部
１１  スタイル検出部
１２Ａ  操作部筐体
１２Ｂ  表示部筐体
【図１】
2011055043.tif 000003
【図２】
2011055043.tif 000004
【図３】
2011055043.tif 000005
【図４】
2011055043.tif 000006
【図５】
2011055043.tif 000007
【図６】
2011055043.tif 000008
【図７】
2011055043.tif 000009
【図８】
2011055043.tif 000010
【図９】
2011055043.tif 000011
【図１０】
2011055043.tif 000012